(57)【要約】【課題】ケーブルからの放射ノイズを抑制しつつ、ケーブルの引き回しを容易にする。【解決手段】画像読取装置は、読取ユニット、受信ユニット、ケーブル、筐体を備える。読取ユニットは、イメージセンサユニットを備え、副走査方向に移動する。イメージセンサユニットは、原稿の画像を画像信号に変換する光電変換手段と、光電変換手段により作成された画像信号を送信する送信手段とを備える。受信ユニットは、読取ユニットから送信された画像信号を受信する。ケーブルは、イメージセンサユニットの送信手段から受信ユニットへ画像信号を伝送する。ケーブルは、読取ユニットの移動方向に延在し、読取ユニットの移動に応じて可動する可動部分と、読取ユニットの移動方向とは別の方向に延在する非可動部分とを備え、可動部分と非可動部分との接合部においてケーブルの延在する方向が転換される。【選択図】図１
2010093645.tif 000002
【特許請求の範囲】
【請求項１】
画像読取装置であって、
原稿の画像を読み取って画像信号を出力し、副走査方向に移動する読取ユニットと、
前記読取ユニットから出力された前記画像信号を受信する受信ユニットと、
前記読取ユニットから前記受信ユニットへ前記画像信号を伝送するケーブルと、
前記読取ユニットと、前記受信ユニットと、前記ケーブルとを収納又は保持する筐体と
を備え、
前記ケーブルは、
前記読取ユニットの移動方向に延在し、前記読取ユニットの移動に応じて可動する可動部分と、
前記読取ユニットの移動方向とは別の方向に延在する非可動部分と
を備え、
前記可動部分と前記非可動部分との接合部において前記ケーブルの延在する方向が転換されていることを特徴とする画像読取装置。
【請求項２】
前記可動部分と前記非可動部分とがそれぞれ異なる構造のケーブルで構成されていることを特徴とする請求項１に記載の画像読取装置。
【請求項３】
前記可動部分はシールドケーブルであることを特徴とする請求項１又は２に記載の画像読取装置。
【請求項４】
前記可動部分と、前記非可動部分との特性インピーダンスが整合されていることを特徴とする請求項１ないし３のいずれか１項に記載の画像読取装置。
【請求項５】
前記接合部は、
前記可動部分と、前記非可動部分とを中継するための中継器を備え、
前記中継器は、前記可動部分と、前記非可動部分との特性インピーダンスと整合されていることを特徴とする請求項１ないし４のいずれか１項に記載の画像読取装置。
【請求項６】
前記中継器は、
前記可動部分と前記非可動部分とを接続する接続パターンと、
グランドパターンと
を備え、
前記可動部分のシールドと、前記グランドパターンとが接続されており、かつ、前記グランドパターンは前記筐体に対して導電性を有する固定部材で固定されている
ことを特徴とする請求項５に記載の画像読取装置。
【請求項７】
前記筐体のうち、前記グランドパターンと対向する領域は、導電性部材で構成されていることを特徴とする請求項６に記載の画像読取装置。
【請求項８】
前記非可動部分の端部は、前記接合部の付近で折り曲げられていることを特徴とする請求項１ないし４のいずれか１項に記載の画像読取装置。
【請求項９】
前記可動部分のシールドは、前記接合部において前記筐体に対して接地されていることを特徴とする請求項８に記載の画像読取装置。
【請求項１０】
前記非可動部分は、前記筐体の底面に近接して固定されていることを特徴とする請求項１ないし９のいずれか１項に記載の画像読取装置。
【発明の詳細な説明】
【技術分野】
【０００１】
本発明は、一般に画像読取装置に係り、とりわけ放射ノイズを抑制するための構造に関する。
【背景技術】
【０００２】
従来、イメージセンサを支持するキャリッジ部材からなる読取ユニットを移動走査することでブック原稿を読み取る画像読取装置が提案されている（特許文献１）。このイメージセンサは、主走査方向に線状に照明する光源手段と、光源手段により照らされた原稿の反射光を結像する結像手段と、結像手段により結像された反射光を入射させて原稿の画像情報を読取画像信号に変換する光電変換手段と、光電変換により作成された画像信号を送信する画像信号送信手段とを備えている。とりわけ、画像信号送信手段は、屈曲性を有するフレキシブルケーブルを介して、画像信号受信ユニットに接続されている。このような構造の画像読取装置は、装置の厚さを抑えられる利点がある。
【０００３】
フレキシブルケーブルとしては、複数のケーブル導体と各ケーブル導体を被覆する被覆部材とを有する帯状の多極ケーブルである、フラットフレキシブルケーブル（ＦＦＣ）が流通している。ＦＦＣは、占有スペースが小さいといった利点がある。
【０００４】
しかし、ＦＦＣは、信号の伝送によって電磁波を放出する発生させることがある。そのため、ＦＦＣは、ＥＭＩ（ＥｌｅｃｔｒｏＭａｇｎｅｔｉｃ  Ｉｎｔｅｒｆｅｒｅｎｃｅ）などのノイズの発生源となることがある。
【０００５】
そこで、粘着部材によりＦＦＣを装置内に敷設することで、ノイズの発生を低減させる構造が提案されている（特許文献２）。
【特許文献１】特開平８−１９５８６０号公報
【特許文献２】特開２００３−１００１５６号公報
【発明の開示】
【発明が解決しようとする課題】
【０００６】
ところで、読取ユニットの走査・移動範囲の外側に読取ユニットを制御するための制御基板を配置する構成が考えられる。
【０００７】
図１１Ａは、関連技術における画像読取装置の上視図である。図１１Ｂは、関連技術における画像読取装置の副走査方向の断面図である。画像読取装置の筐体は、上枠７０１と下枠７０９で構成されている。筐体の内部には、原稿台ガラス７１０上に置かれた原稿の画像を読み取るための読取ユニット７０２が収納されている。読取ユニット７０２は、原稿を読み取る際に、駆動軸７０４及びガイドレール７０５に沿って、左側から右側に向かって移動する。駆動軸７０４、ガイドレール７０５及び制御基板７１１は、下枠７０９に固定されている。
【０００８】
読取ユニット７０２で読み込まれた画像データはケーブル７０３を介して制御基板７１１へ伝送される。ケーブル７０３としてＦＦＣを用いることで、読取ユニット７０２は筐体内部を自由に移動できる。ＦＦＣは薄くかつ柔軟性を備えているからである。
【０００９】
ケーブル７０３のうち可動しない部分を、読取ユニット７０２の移動方向に対し直角に折り曲げることにより、一本のケーブルで読取ユニット７０２と制御基板７１１とを接することができる。
【００１０】
しかし、近年、画像読取装置を高速化することで、ケーブル７０３を伝送される画像データの速度も上がっている。これは、ケーブル７０３が放射ノイズ源になりやすくなってきていることを意味する。
【００１１】
ＦＦＣから放出されるノイズを削減するには、たとえば、ケーブルをシールドしたり、特性インピーダンスを整合させたり、複数の細線同軸ケーブルをフラットケーブル状にアセンブリした同軸フラットケーブルを採用したりする方法が考えられる。
【００１２】
しかし、シールドを施したＦＦＣや同軸フラットケーブルは、一般的なＦＦＣに比べて厚い。そのため、折り曲げることが困難となる。また、無理に折り曲げれば、ケーブル自体が傷んでしまい、伝送特性が劣化してしまう。また、折り曲げ部分の厚みが増すため、画像読取動作中に読取ユニットが接触してしまい、動作不良や、異常画像が発生する可能性がある。また、この手法ではケーブルのコストも上昇しやすい。さらに、近年では、制御基板７１１が読取ユニット７０２から離れた位置に配置されているため、ケーブル長が長くなくなる傾向にある。よって、２重の原因でコストアップを招くことになる。ちなみに、ケーブル長が長くなると、ケーブル自体の電磁的共振周波数が低周波よりにシフトするため、いわゆるＥＭＩ規格を満足できなくなるおそれもある。
【００１３】
そこで、本発明は、このような課題および他の課題のうち、少なくとも１つを解決することを目的とする。たとえば、本発明は、ケーブルからの放射ノイズを抑制しつつ、ケーブルの引き回しを容易にすることを目的とする。なお、他の課題については明細書の全体を通して理解できよう。
【課題を解決するための手段】
【００１４】
画像読取装置は、読取ユニットと、受信ユニットと、ケーブルと、筐体とを備えている。読取ユニットは、イメージセンサユニットと、このイメージセンサユニットを保持するキャリッジ部材とを備え、副走査方向に移動する。イメージセンサユニットは、原稿の画像を画像信号に変換する光電変換手段と、光電変換手段により作成された画像信号を送信する送信手段とを備える。受信ユニットは、読取ユニットから送信された画像信号を受信する。ケーブルは、イメージセンサユニットの送信手段から受信ユニットへ画像信号を伝送する。筐体は、読取ユニットと、受信ユニットと、ケーブルとを収納又は保持する。
【００１５】
とりわけ、ケーブルは、読取ユニットの移動方向に延在し、読取ユニットの移動に応じて可動する可動部分と、読取ユニットの移動方向とは別の方向に延在する非可動部分とを備え、可動部分と非可動部分との接合部においてケーブルの延在する方向が転換される。
【発明の効果】
【００１６】
本発明によれば、ケーブルを可動部分と非可動部分とに分離し、これらの接合部においてケーブルの延在する方向を転換するようにしたことで、ケーブルからの放射ノイズを抑制しつつ、ケーブルの引き回しを容易にできる。
【発明を実施するための最良の形態】
【００１７】
以下に本発明の一実施形態を示す。以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１８】
［第１の実施形態］
図１は、実施形態における画像読取装置の平面図である。画像読取装置１は、導電性部材である筐体上枠１０１と筐体下枠１０９とにより外形が形成されている。すなわち、画像読取装置の筐体は、導電性部材の上枠と下枠とを主要な構成部材としている。なお、画像読取装置１は、イメージリーダやイメージスキャナーと呼ばれることもある。
【００１９】
筐体上枠１０１に設けられた開口部１００には、原稿を置載するための原稿台ガラス１１０が設けられている。筐体内に設けられた読取ユニット１０２は、図１の左側から右側へ向かって（すなわち副走査方向に）、移動しながら、原稿の画像を読み取る。なお、読取ユニット１０２は、後述する駆動モーター２０２（図３）によって駆動される。読取ユニット１０２の姿勢は、駆動軸１０４とガイドレール１０５によって水平に維持される。
【００２０】
読取ユニット１０２は、筐体の内部を移動可能に配置され、原稿台に載置された原稿を読み取る読取ユニットの一例である。読取ユニット１０２は、イメージセンサ基板１０６、原稿照明１０７ａ、１０７ｂ、反射板１０８ａ、１０８ｂ、および光学部品で構成されている。画像読取動作の際、原稿照明１０７ａ、１０７ｂが原稿台ガラス１１０上に載置された原稿を照明する。原稿台ガラス１１０は、筐体の上枠に設けられた透光性を有する原稿台の一例である。原稿台ガラス１１０は、必ずしもガラスを素材としている必要はない。
【００２１】
原稿からの反射光は、光学部品を介して、イメージセンサ基板１０６に実装されたイメージセンサ上に結像する。イメージセンサ基板１０６は、第１ケーブル１０３を介して制御基板２０１と接続される。
【００２２】
原稿照明１０７ａ、１０７ｂは、冷陰極管のような管状光源でも、ＬＥＤのような点光源を線状に集合させたものでもよい。原稿照明１０７ａ、１０７ｂは、画像読取領域の主走査方向の長さとほぼ等しい長さを有する。反射板１０８ａ、１０８ｂは、金属板もしくは基材上に金属を蒸着させたもので、原稿照明１０７ａ、１０７ｂと同等以上の長さを有する。
【００２３】
制御基板２０１は、筐体下枠１０９にネジ２００で固定されているとともに制御基板２０１のグランドもネジ２００を介して筐体下枠１０９に接続されている。
【００２４】
とりわけ、図１では、放射ノイズを抑制するために、第１ケーブル１０３と、中継基板１２０と、第２ケーブル１２１とにより、読取ユニット１０２と制御基板２０１とを接続するための伝送ケーブルが構成されている。第１ケーブル１０３は、読取ユニット１０２の移動方向（図中の主走査方向）に延在し、読取ユニット１０２の移動に応じて可動する可動部分の一例である。また、第１ケーブル１０３をシールドケーブルとすることで、第１ケーブル１０３から放出されるノイズを抑圧することができる。第２ケーブル１２１は、読取ユニット１０２の移動方向とは別の方向に延在する非可動部分の一例である。中継基板１２０は、可動部分と非可動部分との接合部の一例である。同様に、中継基板１２０は、可動部分と非可動部分とを中継するための中継器の一例である。また、中継基板１２０においてケーブルの延在する方向が転換されている。
【００２５】
図２は、画像読取装置の機能を示すブロック図である。イメージセンサ基板１０６に実装されるイメージセンサ１１１は、原稿からの反射光を、光学部品を介して受光し、画像データ１１５（電気信号）に変換して出力する。イメージセンサ基板１０６は、読取ユニット１０２のキャリッジ部材によって保持されたイメージセンサユニットの一例である。イメージセンサ１１１は、原稿の画像を画像信号に変換する光電変換手段の一例である。画像データ１１５は増幅器１１２により増幅され、増幅された画像データ１１６となる。増幅された画像データ１１６は、ＡＤ変換器１１３でデジタル信号２０９に変換される。ＡＤ変換器１１３は、光電変換手段により作成された画像信号を送信する送信手段の一例である。
【００２６】
デジタル信号２０９は、第１ケーブル１０３と、中継基板１２０と、第２ケーブル１２１とを介して制御基板２０１上の画像処理回路２０４へ伝送される。第１ケーブル１０３と、中継基板１２０と、第２ケーブル１２１とは、イメージセンサユニットの送信手段から受信ユニットへ画像信号を伝送するケーブルの一例である。画像処理回路２０４は、読取ユニット１０２から送信された画像信号を受信する受信ユニットとして機能している。画像処理回路２０４は、入力されたデジタル信号２０９に対してγ補正などの画像処理を施し、画像処理されたデジタル信号２１５を生成する。デジタル信号２１５は、インターフェース回路２１３を介して図示しない画像形成装置へ伝送される。
【００２７】
制御基板２０１上の制御回路２０５は、イメージセンサ１１１を駆動する基準信号２０７を生成する。基準信号２０７は、第1ケーブル１０３を介してイメージセンサ基板１０６上のイメージセンサ駆動回路１１４へ伝送される。イメージセンサ駆動回路１１４は、基準信号２０７からイメージセンサ駆動用信号１１７を生成し、イメージセンサ駆動用信号１１７によってイメージセンサ１１１を駆動する。
【００２８】
制御回路２０５は、イメージセンサ基板１０６上のＡＤ変換器１１３の基準クロック信号２０８と、原稿照明１０７の制御信号２１１とをそれぞれ生成する。基準クロック信号２０８も第1ケーブル１０３を介してＡＤ変換器１１３に入力される。なお、放射ノイズは、読取ユニットに使用されている基準クロック信号２０８の高調波であり、放射ノイズの周波数は３０ＭＨｚ以上の周波数である。
【００２９】
制御信号２１１も第１ケーブル１０３と、中継基板１２０と、第２ケーブル１２１とを介して原稿照明駆動回路１１８へ入力される。原稿照明駆動回路１１８は、制御信号２１１にしたがって原稿照明１０７ａ、１０７ｂを駆動するための信号１１９を生成し、原稿照明１０７ａ、１０７ｂに供給する。
【００３０】
さらに、制御回路２０５は、駆動モーター２０２を制御するための基準信号２１４を生成する。モーター駆動回路２１２は、基準信号２１４をモーター駆動信号２０３に変換し、駆動モーター２０２を制御する。
【００３１】
このように、読取ユニット１０２と制御基板２０１とを結合する第１ケーブル１０３と、中継基板１２０と、第２ケーブル１２１とを介して基準クロックや、デジタルの画像データ等が送受信される。ただし、読取ユニット１０２は、構造上、画像読取装置のグランドとの高周波的な接続が弱い。そのため、読取ユニット１０２自身やケーブルから放射ノイズを発生しやすい。それゆえ、本発明が提案する放射ノイズの抑制手法が活きてくる。
【００３２】
図３Ａは、中継基板１２０の平面図である。中継基板１２０は、第１ケーブル１０３を接続するための第１コネクタ３０１と、第２ケーブル１２１を接続するための第２コネクタ３０２と、パターン群３０４と、第１グランドパターン３０３とを備えている。パターン群３０４は、第１コネクタ３０１と第２コネクタ３０２間との間に設けられた配線パターンである。第１ケーブル１０３と第２ケーブル１２１との各信号線がこのパターン群３０４により１対１で接続されている。
【００３３】
なお、パターン群３０４は、第１コネクタ３０１と第２コネクタ３０２とが実装されている面とは別の面に形成されている。パターン群３０４を形成する配線パターンは、それぞれ第１ケーブル１０３と第２ケーブル１２１との特性インピーダンスと等しくなるように構成されている。このように、パターン群３０４は、可動部分と非可動部分との特性インピーダンスを整合する作用も有していてもよい。パターン群３０４の周囲には第１グランドパターン３０３が設けられている。第１コネクタ３０１と第２コネクタ３０２の近傍には導電性のネジ３０５〜３０８を通すための穴が設けられている。このように、パターン群３０４は、可動部分と非可動部分とを接続する接続パターンの一例である。
【００３４】
図３Ｂは、画像読取装置の筐体下枠１０９に実装された中継基板１２０の側面図である。第１コネクタ３０１と第２コネクタ３０２との実装面には、第２グランドパターン３０９が形成されている。第２グランドパターン３０９は、第１グランドパターン３０３に対して複数の箇所でビアにより接続されている。第１ケーブル１０３のシールドは、第１コネクタ３０１のシールドまたは導電性部材を介して第２グランドパターン３０９に接続される。
【００３５】
筐体下枠１０９には、ネジ３０５〜３０８を固定するための、所定の高さを有した台が設けられている。この台に開けられた穴（孔）がナットとして機能する。このように、筐体下枠１０９と第２グランドパターン３０９とが機械的かつ電気的に接続される。筐体下枠１０９のうち、第２グランドパターン３０９と対向する領域は、導電性部材で構成されている。このように、可動部分のシールドとグランドパターンとが接続されているとともに、グランドパターンが筐体に対して導電性を有する固定部材で固定されている。
【００３６】
中継基板１２０の上面と下面とのうち、第１コネクタ３０１及び第２コネクタ３０２を筐体下枠１０９と面する下面に実装している。これは、中継基板１２０の厚さを抑えるためである。
【００３７】
図４は、画像読取装置の筐体下枠１０９に実装された中継基板１２０の側面図である。画像読取装置の底部には、複数の脚４０１が設けられている。筐体下枠１０９のうち、中継基板１２０の実装領域４０２は、その周囲の領域よりも低くなっている。すなわち、実装領域４０２は、窪みとなっている。この窪み内に中継基板１２０を収納することで、中継基板１２０の頂部と読取ユニット１０２の底部とが干渉することを防いでいる。
【００３８】
図５Ａ、図５Ｂは、読み取り動作中における読取ユニット１０２の移動範囲と、読取ユニット１０２、第１ケーブル１０３及び中継基板１２０の位置関係とを示した図である。図５Ａによれば、読取ユニット１０２は、移動範囲のうち最右端に位置している。また、図５Ｂによれば、読取ユニット１０２は、移動範囲のうち最左端に位置している。
【００３９】
図５Ａに示された状態によれば、第１ケーブル１０３のほとんどの部分は、筐体下枠１０９に対して離間している。一方で、図５Ａに示された状態によれば、第１ケーブル１０３のほとんどの部分は、筐体下枠１０９に接触ないし近接している状態にある。
【００４０】
読み取り動作中、第１ケーブル１０３は、図５Ａに示された状態から図５Ｂに示された状態を繰り返す。一般的なケーブルは、変形すると、特性インピーダンスが一定にならなくなるため、放射ノイズを発生しやすくなる。よって、第１ケーブル１０３は、シールドケーブルや細線同軸ケーブルで構成することが望ましい。
【００４１】
図６は、中継基板１２０と制御基板２０１とを接続する第２ケーブル１２１の実装状態を説明するための断面図である。第２ケーブル１２１は、読取ユニット１０２の動作に依存して移動することはない。よって、第２ケーブル１２１は、筐体下枠１０９に対して固定できる。
【００４２】
第２ケーブル１２１は、複数の抑え部材５０２によって、筐体下枠１０９に対して固定されている。なお、第２ケーブル１２１は、筐体下枠１０９の一部に設けられた開口部５０１を通過し、制御基板２０１へ接続される。
【００４３】
このように、第２ケーブル１２１は筐体下枠１０９に対して接触ないしは密接して固定されるため、特性インピーダンスが安定する。さらに、筐体下枠１０９を導電性部材で構成することによりシールド効果が得られる。よって、第２ケーブル１２１を、高価なシールドケーブルとせずに、安価なＦＦＣとしてもよい。第２ケーブル１２１を第１ケーブル１０３と同様にシールドケーブルとしてもよい。このように本実施形態によれば、可動部分である第１ケーブル１０３と非可動部分である第２ケーブル１２１とがそれぞれ異なる構造のケーブルで構成されている。
【００４４】
以上、本実施形態よれば、ケーブルを可動部分と非可動部分とに分離し、これらの接合部においてケーブルの延在する方向を転換するようにしたことで、ケーブルからの放射ノイズを抑制しつつ、ケーブルの引き回しを容易にできる。すなわち、放射ノイズを抑制しつつ、ケーブルの折り曲げによる破損や、読み取り動作時の読み取りユニットとケーブルとの干渉による不具合を防ぐことができる。また、ケーブルを折り曲げることができるので、画像読取装置の薄型化も可能となる。
【００４５】
ケーブルを可動部分と非可動部分とに分割しているため、ケーブルの電磁的共振が発生する単位長が短くなる。よって、共振周波数を放射ノイズ規制領域の高周波よりも外側へ移行させやすくなる。すなわち、放射ノイズ対策も容易となろう。
【００４６】
可動部分と非可動部分とがそれぞれ異なる構造のケーブルで構成することできるため、たとえば、シールド構造を有するケーブルを可動部分にのみ適用し、非可動部分にはより簡便なケーブルを採用することも可能となる。そのため、低コストで画像読取装置の高速化も可能となろう。
【００４７】
［第２の実施形態］
第１の実施形態では、読取ユニット１０２と制御基板２０１間とを、第１ケーブル１０３、中継基板１２０及び第２ケーブル１２１により接続した。すなわち、分離された２つのケーブルを中継基板１２０によって接合するとともに、延在する方向（進行方向）を接合部において転換するものであった。そこで、第２の実施形態では、中継基板を用いずに接合を実現した、一体の簡便なケーブルを提案する。
【００４８】
図７は、実施形態における可動部分と非可動部分で構造の異なるケーブルの一例を示した図である。ケーブル８０１は、第１ケーブル１０３に相当する可動部分８０２と、第２ケーブル１２１に相当する非可動部分８０３とを有する。可動部分８０２と非可動部分８０３との各信号線やグランドパターンは、接合部８０８において電気的に接続されている。
【００４９】
可動部分８０２はシールド処理を施されている。非可動部分８０３もシールド処理を施されていてもよいが、ここでは、シールド処理が施されていないものとする。可動部分８０２のうち、非可動部分８０３との境界近傍には、接地領域８０７が設けられている。接地領域８０７は、可動部分８０２のシールド部分が外部（筐体下枠１０９など）と接触できるように形成されている。
【００５０】
ケーブル８０１の片方の端部には、読取ユニット１０２と接続するための第１コネクタ８０４が取り付けられている。一方、ケーブル８０１の他端には、制御基板２０１と接続するための第２コネクタ８０５が取り付けられている。なお、破線８０６は、非可動部分８０３を折り曲げる位置を示している。この位置で非可動部分８０３を折り曲げることで、ケーブル８０１の延在方向を転換できるようになっている。ケーブル８０１のうち非可動部分８０３は、ＦＦＣやフレキシブルプリント配線板（ＦＰＣ）で容易に製造可能である。
【００５１】
図８は、図７に示したＡ−Ａ´の部分の拡大図である。可動部分８０２は、シールド層６０１を有している。シールド層６０１には、複数のビアホール６０２が所定の間隔ごとに設けられている。ビアホール６０２は、ケーブル８０１の内層に設けられたグランドパターンとシールド層６０１とを電気的に接続している。
【００５２】
図９は、図７で示した可動部部分のＡ−Ａ´における断面と非可動部分のＢ−Ｂ´における断面との比較図である。
【００５３】
ケーブル８０１の内部には、複数の信号線１１０５と、複数のグランドパターン１１０６とが存在する。複数の信号線１１０５の周囲には、絶縁体１１０２が配置されている。グランドパターン１１０６は、可動部分８０２において、ビアホール６０２を通じて上側のシールド層６０１と下側のシールド層１１０１とに接続されている。シールド層６０１は、絶縁体１１０３により覆われている。同様にシールド層１１０１の外側も絶縁体１１０４により覆われている。
【００５４】
図１０Ａは、画像読取装置に実装されたケーブル８０１を示す図である。図１０Ｂは、画像読取装置に実装されたケーブル８０１の拡大図である。これらの図によれば、ケーブル８０１は、折り曲げ位置において折り曲げられていることがわかる。可動部分８０２は、シールドケーブルであるため、折り曲げが困難であり、無理に折り曲げると断線などが生じうる。一方で、非可動部分８０３は、可動部分８０２と比較して折り曲げが容易な構造である。それゆえ、非可動部分８０３においてケーブル８０１が折り曲げられている。このように、非可動部分８０３の端部は、接合部８０８の付近で折り曲げられている。
【００５５】
図１０Ａ、図１０Ｂによれば、ケーブル８０１の可動部分８０２の端部は、抑え部材９０１によって筐体下枠１０９に対して固定されている。なお、抑え部材９０１は、導電性を有しており、ケーブル８０１の接地領域８０７に対応して設けられている。よって、可動部分８０２に設けられた接地領域８０７は、筐体下枠１０９に対して導通状態が維持されるように、抑え部材９０１によって固定される。このように、可動部分のシールドは、接合部８０８の近辺において筐体に対して接地されている。
【００５６】
非可動部分８０３は、抑え部材９０１は、によって筐体下枠１０９に対して固定されている。このように、抑え部材９０１及び抑え部材９０１を採用することで、ケーブル８０１の折り曲げ部分が筐体下枠１０９からの浮き上がりが抑制される。また、非可動部分８０３は、筐体下枠１０９の底面に近接して固定されているため、実質的にシールドされている。
【００５７】
本実施形態よれば、ケーブルを可動部分と非可動部分とに分離し、これらの接合部においてケーブルの延在する方向を転換するようにしたことで、ケーブルからの放射ノイズを抑制しつつ、ケーブルの引き回しを容易にできる。また、実施形態２では、実施形態１で説明した中継基板を省略できるため、さらなるコストの低減効果もあろう。
【図面の簡単な説明】
【００５８】
【図１】実施形態における画像読取装置の平面図である。
【図２】画像読取装置の機能を示すブロック図である。
【図３Ａ】中継基板１２０の平面図である。
【図３Ｂ】画像読取装置の筐体下枠１０９に実装された中継基板１２０の側面図である。
【図４】画像読取装置の筐体下枠１０９に実装された中継基板１２０の側面図である。
【図５Ａ】読み取り動作中における読取ユニット１０２の移動範囲と、読取ユニット１０２、第１ケーブル１０３及び中継基板１２０の位置関係とを示した図である。
【図５Ｂ】読み取り動作中における読取ユニット１０２の移動範囲と、読取ユニット１０２、第１ケーブル１０３及び中継基板１２０の位置関係とを示した図である。
【図６】中継基板１２０と制御基板２０１とを接続するケーブル１２１の実装状態を説明するための断面図である。
【図７】実施形態における可動部分と非可動部分で構造の異なるケーブルの一例を示した図である。
【図８】図７に示したＡ−Ａ´の部分の拡大図である。
【図９】図７で示した可動部部分のＡ−Ａ´における断面と非可動部分のＢ−Ｂ´における断面との比較図である。
【図１０Ａ】画像読取装置に実装されたケーブル８０１を示す図である。
【図１０Ｂ】画像読取装置に実装されたケーブル８０１の拡大図である。
【図１１Ａ】関連技術における画像読取装置の上視図である。
【図１１Ｂ】関連技術における画像読取装置の副走査方向の断面図である。
【図１】
2010093645.tif 000003
【図２】
2010093645.tif 000004
【図３Ａ】
2010093645.tif 000005
【図３Ｂ】
2010093645.tif 000006
【図４】
2010093645.tif 000007
【図５Ａ】
2010093645.tif 000008
【図５Ｂ】
2010093645.tif 000009
【図６】
2010093645.tif 000010
【図７】
2010093645.tif 000011
【図８】
2010093645.tif 000012
【図９】
2010093645.tif 000013
【図１０Ａ】
2010093645.tif 000014
【図１０Ｂ】
2010093645.tif 000015
【図１１Ａ】
2010093645.tif 000016
【図１１Ｂ】
2010093645.tif 000017